(57)【特許請求の範囲】
【請求項１】
ジョブ毎に用紙に画像形成を行う画像出力部と、前記ジョブを記憶する不揮発性記憶媒体と、制御手段とを有する画像形成装置であって、
前記制御手段は、
実行中のジョブの画像形成の停止要求が発生した場合、
実行中のジョブに後処理指示情報が含まれるか否かを判定し、
前記後処理指示情報が含まれていないかまたは前記後処理指示情報が含まれておりかつ当該含まれている後処理指示情報が用紙一枚に対して施されるものである場合には画像形成中の一枚を部の区切りとして停止要求以降の画像形成を停止させ、前記後処理指示情報が含まれておりかつ当該含まれている後処理指示情報が用紙の束に対して施されるものである場合には当該後処理を行う用紙束を部の区切りとして当該処理を行う用紙束となるまで画像形成させてから画像形成を停止させる制御と、
画像形成の停止後、電源遮断前に、前記実行中のジョブにおける画像形成を完了したページまでの途中結果を含んだジョブデータを前記不揮発性記憶媒体に記憶する制御と、
電源が再投入されると、前記不揮発性記憶媒体に記憶されている前記ジョブデータを読出し、前記途中結果を含んだジョブデータに基づいて前記画像形成を引き続き実行させる再開の制御と、
を行うこと、
を特徴とする画像形成装置。
【請求項２】
表示手段と、
電源が再投入されると、前記不揮発性記憶媒体に前記画像形成未完了のジョブが記憶されていれば、画像形成の再開をさせるか否かの選択を促す選択画面を前記表示手段に表示させる表示制御部と、
をさらに備え、
前記制御手段は、
前記選択画面に基づきオペレータが画像形成の再開を選択すると、前記不揮発性記憶媒体に記憶されている前記停止までの途中結果を含んだジョブを前記停止以降から引き続き実行させるように制御すること、
を特徴とする請求項１記載の画像形成装置。
【発明の詳細な説明】
【技術分野】
【０００１】
この発明は、画像データに従って用紙に画像形成する画像形成装置に関する。
【背景技術】
【０００２】
画像データに従って用紙に画像形成する各種の画像形成装置が知られている。例えば、コンピュータから送信された画像データを用紙に出力するプリンタや、原稿表面から画像を読み取って複写するコピー機等がある。この画像形成装置は、高速化及び低価格化とともにオフィスや家庭に急速に普及している。
【０００３】
オフィスでは、この画像形成装置によって、日々、大量の書類が作成される。書類は、複数ページを１部とし大量部数の出力を行うジョブが実行されることも度々である。
【０００４】
ところで、特にオフィスにおいて、労働時間等の関係から、大量部数の書類を出力している途中で、この出力を中止せざるを得ない状況になる場合がある。大量部数の印刷を途中で中止する場合、翌日に最初から出力し直すという方法が考えられるが、この方法は、生産性を著しく欠く。
【０００５】
そこで、翌日、中止したジョブを中止時点から再開する技術が提案されている（例えば、「特許文献１」、「特許文献２」参照。）。提案されている技術において、画像形成装置の電源が落とされる前になされることは、データの内容が電源を落としても消失しない不揮発性のメモリに実行中のジョブを待避させることである。待避させたジョブには、出力された部数と出力済みのページを示す情報が示されている。電源の再投入後、不揮発性のメモリに待避したジョブを参照して、途中ページから画像形成を再開する。即ち、提案されている技術は、電源が落ちる前に再開のための準備をしておく技術である。
【０００６】
そして、電源再投入時には、未完了のジョブが存在することを報知し、停止前に実行中であったジョブを途中ページから再開するか、部の先頭から再開するか、或いは最初からやり直すか選択可能とし、選択結果に応じて実行中であったジョブを実行する。
【０００７】
【特許文献１】特開２００５−２２０９９号公報
【特許文献２】特開２００６−３５５３３号公報
【発明の開示】
【発明が解決しようとする課題】
【０００８】
従来の電源が落ちる前に再開のための準備をしておく技術では、印刷途中から再開することを主眼にしているため、印刷が未だ部の途中であった場合、部の途中で印刷が中止されてしまう。
【０００９】
印刷態様には、部単位で意味をもつ書類の印刷、即ち、複数ページがまとまってこそ意味を持つ冊子の印刷、特にステープル処理やくるみ綴じ処理等して冊子化する印刷態様が含まれる。このような部単位で意味をもつ書類の印刷態様において、未だ部の途中にもかかわらず画像形成が即時中止してしまうと、中止前の部の途中までの印刷束及び再開後の部の途中から終わりまでの印刷束は、無駄な出力物となってしまう。また、この無駄な出力物となった部は、別途やり直さなければ、所望の出力部数を得られない。
【００１０】
また、電源再投入時には、部の途中で停止している可能性があるため、利用者に実行中であったジョブを途中ページから再開するか、部の先頭から再開するかの選択を促さざるを得ない。しかし、電源再投入後最初に画像形成装置を利用する者が、停止前に実行中であったのジョブを要求した者とは限らない。電源再投入後最初に画像形成装置を利用する者が別人物であった場合、停止前に実行中であったジョブを要求した者が、部の途中までとなってしまった印刷物を保有しているのか、或いは部の途中までとなってしまった印刷物を廃棄してしまったのか、どちらかわからず、どの選択をしてよいものか困惑してしまう。
【００１１】
この発明は、上述のような問題点に鑑みてなされたものであり、ジョブの実行途中に画像形成を停止させ、その後、実行途中のジョブを再開させても、無駄な出力物が生じることのない画像形成装置を提供することを目的とする。
【課題を解決するための手段】
【００１２】
上記課題を解決するために、請求項１に記載の発明は、ジョブ毎に用紙に画像形成を行う画像出力部と、前記ジョブを記憶する不揮発性記憶媒体と、制御手段とを有する画像形成装置であって、前記制御手段は、実行中のジョブの画像形成の停止要求が発生した場合、実行中のジョブに後処理指示情報が含まれるか否かを判定し、前記後処理指示情報が含まれていないかまたは前記後処理指示情報が含まれておりかつ当該含まれている後処理指示情報が用紙一枚に対して施されるものである場合には画像形成中の一枚を部の区切りとして停止要求以降の画像形成を停止させ、前記後処理指示情報が含まれておりかつ当該含まれている後処理指示情報が用紙の束に対して施されるものである場合には当該後処理を行う用紙束を部の区切りとして当該処理を行う用紙束となるまで画像形成させてから画像形成を停止させる制御と、画像形成の停止後、電源遮断前に、前記実行中のジョブにおける画像形成を完了したページまでの途中結果を含んだジョブデータを前記不揮発性記憶媒体に記憶する制御と、電源が再投入されると、前記不揮発性記憶媒体に記憶されている前記ジョブデータを読出し、前記途中結果を含んだジョブデータに基づいて前記画像形成を引き続き実行させる再開の制御と、を行うこと、を特徴とする。
【００１６】
表示手段と、電源が再投入されると、前記不揮発性記憶媒体に前記画像形成未完了のジョブが記憶されていれば、画像形成の再開をさせるか否かの選択を促す選択画面を前記表示手段に表示させる表示制御部と、をさらに備え、前記制御手段は、前記選択画面に基づきオペレータが画像形成の再開を選択すると、前記不揮発性記憶媒体に記憶されている前記停止までの途中結果を含んだジョブを前記停止以降から引き続き実行させるように制御するようにしてもよい（請求項２記載の発明に相当）。
【発明の効果】
【００１７】
本発明によると、画像形成を停止させる場合、画像形成中の部の区切りまで画像形成させてから停止させてから、実行中であったジョブを含む画像形成未完了のジョブを不揮発性記憶媒体に記憶するようにし、この不揮発性記憶媒体に記憶させたジョブに基づき画像形成を再開するようにした。
【００１８】
従って、画像形成を中断させて後に再開させる場合であっても無駄な出力物が生じることがなく、またそれにより無駄な出力物を別途やり直す手間もはぶけるため、生産性に優れる。
【００１９】
さらに、電源再投入時には、途中ページからやり直すか、或いは部の途中からやり直すかといった選択を促す必要が無くなり、電源再投入後最初に画像形成装置を利用する者が、停止前に実行中であったジョブを要求した者とは別人物であっても、再開方法の選択に困惑することがない。
【発明を実施するための最良の形態】
【００２０】
以下、本発明の実施形態について図面に基づき詳細に説明する。
【００２１】
（第１の実施形態）
図１は、本実施形態に係る画像形成装置１００の全体構成を示す図である。
【００２２】
画像形成装置１００は、電子写真方式にて任意の画像データに基づき色毎のトナー像を形成し、色毎のトナー像を重ね合わせてカラー画像を形成する。この画像形成装置１００は、装置本体１００ａと、装置本体１００ａの上部に設置された画像読取装置１００ｂから構成される。
【００２３】
装置本体１００ａの上面に設けられている表示手段たる操作パネル１０８を用いて操作されることを契機として、画像読取装置１００ｂで画像を読み取り、用紙上に画像を形成する。または、ネットワーク上の端末から画像データが出力されることを契機として、用紙上に画像を形成する。
【００２４】
画像形成装置１００の後段には、製本装置２００が電気的かつ機械的に連結される場合がある。製本装置２００は、画像形成装置１００で出力された印刷物を束にして、ステープラ処理、シフト処理、穿孔処理等の後処理を行う装置である。
【００２５】
画像読取装置１００ｂは、原稿の表面に形成されている画像を光学的に読み取って当該画像をアナログ信号に変換する原稿走査露光装置１２２と、原稿を原稿走査露光装置１２２に給紙する自動原稿給紙装置（ＡＤＦ：Ａｕｔｏ Ｄｏｃｕｍｅｎｔ Ｆｅｅｄｅｒ）１２１とから構成される。
【００２６】
自動原稿給紙装置１２１は、原稿を原稿走査露光装置１２２に給紙する装置であり、原稿台１２１ａ上に載置された複数枚の原稿を、搬送手段１２１ｂで原稿走査露光装置１２２上に一枚ずつ搬送する。
【００２７】
原稿走査露光装置１２２は、プラテンガラス１２２ａと、キセノンランプ等の光源、ミラー、及びレンズを含む光学系１２２ｂと、ＣＣＤ（Ｃｈａｒｇｅ  Ｃｏｕｐｌｅｄ  Ｄｅｖｉｃｅ）イメージセンサ１２２ｃと、スリットガラス１２２ｄとから構成される。
【００２８】
光学系１２２ｂは、自動原稿給紙装置１２１の搬送によりプラテンガラス１２２ａ上に載置された原稿を走査露光し、又は、スリットガラス１２２ｄ上にて搬送される原稿を位置固定にて露光し、光源による照射によって原稿から反射した反射光をミラーで光路変更させつつ、レンズを介してＣＣＤイメージセンサ１２２ｃに結像させる。ＣＣＤイメージセンサ１２２ｃは、原稿面に形成されている画像を反映する入射光を受光してアナログ信号に変換する。
【００２９】
装置本体１００ａ内には、用紙を収容する用紙収容部１０３と、画像を用紙に出力する画像出力部１０４が配置されている。用紙収容部１０３と画像出力部１０４との間には、用紙収容部１０３から画像出力部１０４へ用紙を給紙する搬送路１０５が配置されている。画像出力部１０４の後段には、定着部１０６が配置されている。装置本体１００ａ内では、用紙が搬送路１０５を通って用紙収容部１０３から画像出力部１０４へ搬送され、画像出力部１０４で用紙上に画像が形成された後、定着部１０６で画像を定着させ、装置本体１００ａから排紙される。
【００３０】
また、この装置本体１００ａ内には、画像形成装置１００と製本装置２００とを統合的に制御する制御手段１０２が配置されている。
【００３１】
用紙収容部１０３は、トレイ形状や箱形状を有し、下部に配置されたレールに沿って装置本体１００ａの外部へ引き出し可能となっている。一般的には、装置本体１００ａに複数の用紙収容部１０３，１０３，１０３・・・が配置され、それぞれ各種サイズの用紙を各種の向きで収容可能となっている。
【００３２】
搬送路１０５は、用紙を用紙収容部１０３の何れかより取り出し、画像出力部１０４と定着部１０６を通過させ、製本装置２００内へ搬送する。この搬送路１０５は、所定間隔で配された対向する複数組のローラ対で形成される。このローラ対が用紙を挟持し、搬送方向へ送り出すように回転することで、用紙が次段のローラ対へ搬送されていく。
【００３３】
用紙収容部１０３の近傍には、送り出しローラ１０５ａ及び給紙ローラ１０５ｂが配置され、用紙収容部１０３から用紙を給紙する。給紙ローラ１０５ｂの後段には、画像出力部１０４へ向けて、搬送ローラ１０５ｃ、１０５ｄ、１０５ｅ、及びレジストローラ１０５ｆが順に配置され、給紙された用紙を画像出力部１０４へ搬送する。レジストローラ１０５ｆでは、搬送されてきた用紙を突き当てて停止させることで曲がりを修正した後に、画像出力部１０４へ搬送する。
【００３４】
定着部１０６の後段には、分岐路１０５ｇが配置され、定着部１０６を通過した用紙を排紙側又は循環側へ搬送する。分岐路１０５ｇの排紙側には、排紙ローラ１０５ｈが配され、排紙側へ搬送された用紙を外部へ排紙し、製本装置２００内へ搬送する。
【００３５】
分岐路１０５ｇの循環側には、循環通紙路１０５ｉと反転搬送路１０５ｊと再給紙搬送路１０５ｋが配置される。用紙の両面に画像を形成する場合、画像出力部１０４で片面に画像を形成した後、循環通紙路１０５ｉを経て、反転搬送路１０５ｊで用紙の紙面を反転させ、再給紙搬送路１０５ｋを経て再度搬送ローラ１０５ｅに再給紙する。
【００３６】
画像出力部１０４は、色毎の画像形成ユニット１０９Ｙ、１０９Ｍ、１０９Ｃ、１０９Ｋと、この画像形成ユニット１０９Ｙ、１０９Ｍ、１０９Ｃ、１０９Ｋに対応した色毎の半導体レーザ１１０Ｙ、１１０Ｍ、１１０Ｃ、１１０Ｋと、各色共通の無終端状の中間転写ベルト１１１とを備えている。
【００３７】
画像形成ユニット１０９Ｙと半導体レーザ１１０Ｙ、画像形成ユニット１０９Ｍと半導体レーザ１１０Ｍ、画像形成ユニット１０９Ｃと半導体レーザ１１０Ｃ、画像形成ユニット１０９Ｋと半導体レーザ１１０Ｋは、順にイエロー（Ｙ）色、マゼンタ（Ｍ）色、シアン（Ｃ）色、黒（Ｋ）色の画像を形成する。
【００３８】
画像形成ユニット１０９Ｙには、感光ドラム１Ｙと帯電部２Ｙと現像部３Ｙとクリーニング部５Ｙが配され、画像形成ユニット１０９Ｍには、感光ドラム１Ｍと帯電部２Ｍと現像部３Ｍとクリーニング部５Ｍが配され、画像形成ユニット１０９Ｃには、感光ドラム１Ｃと帯電部２Ｃと現像部３Ｃとクリーニング部５Ｃが配され、画像形成ユニット１０９Ｋには、感光ドラム１Ｋと帯電部２Ｋと現像部３Ｋとクリーニング部５Ｋが配されている。
【００３９】
感光ドラム１Ｙ、１Ｍ、１Ｃ、１Ｋは、回転可能な円柱体であり、表面がスコロトロン方式等の帯電方式により均一に帯電されている。この表面は、半導体レーザ１１０Ｙ、１１０Ｍ、１１０Ｃ、１１０Ｋの出力するレーザ光により露光され、レーザ光の出力強度に応じて露光部分の電位が減じ、静電潜像が形成される。
【００４０】
帯電部２Ｋ、２Ｍ、２Ｃ、２Ｋは、感光ドラム１Ｙ、１Ｍ、１Ｃ、１Ｋの表面に静電荷を与えて一様に帯電させる。現像部３Ｙ、３Ｍ、３Ｃ、３Ｋによる現像は、使用するトナー極性と同極性の直流電圧に交流電圧を重畳した現像バイアスが印加される反転現像にて行い、トナー供給によって感光ドラム１Ｙ、１Ｍ、１Ｃ、１Ｋの表面にトナー像を形成する。クリーニング部５Ｙ、５Ｍ、５Ｃ、５Ｋは、感光ドラム１Ｙ、１Ｍ、１Ｃ、１Ｋに残る残留トナーを除去する。
【００４１】
半導体レーザ１１０Ｙ、１１０Ｍ、１１０Ｃ、１１０Ｋは、出力強度を可変させながら対応する感光ドラム１Ｙ、１Ｍ、１Ｃ、１Ｋにレーザ光を走査し、感光ドラム１Ｙ、１Ｍ、１Ｃ、１Ｋの表面を露光して各色の静電潜像を形成する。この半導体レーザ１１０Ｙ、１１０Ｍ、１１０Ｃ、１１０Ｋは、画像データの各画素値に対応した強度の駆動信号が入力されて駆動し、画素値に対応した出力強度のレーザ光を出力する。
【００４２】
中間転写ベルト１１１は、無終端状に回動している。ベルト表面には感光ドラム１Ｙ、１Ｍ、１Ｃ、１Ｋが配され、ベルト裏面には、感光ドラム１Ｙ、１Ｍ、１Ｃ、１Ｋと対峙して１次転写ローラ６Ｙ、６Ｍ、６Ｃ、６Ｋが配されている。また、中間転写ベルト１１１を挟んで対向する２次転写ローラ７と、ベルト表面の残留トナーを除去するクリーニング部８が配されている。
【００４３】
中間転写ベルト１１１には、使用するトナーと反対極性の１次転写バイアスが１次転写ローラ６Ｙ、６Ｍ、６Ｃ、６Ｋに印加されることにより、感光ドラム１Ｙ、１Ｍ、１Ｃ、１Ｋ表面に形成されたトナー像が各色逐次転写されて（１次転写）、合成されたカラー画像が形成される。
【００４４】
合成されたカラー画像が形成された中間転写ベルト１１１は、回動により合成されたカラー画像を２次転写ローラ７まで搬送し、２次転写ローラ７に挟持された用紙の表面にカラー画像を一括して転写する（２次転写）。転写後の中間転写ベルト１１１表面の残留トナーは、クリーニング部８で除去される。
【００４５】
定着部１０６は、用紙を加熱圧着し、カラー画像を用紙に定着させる。
【００４６】
製本装置２００には、内部に穿孔部２１０、シフト部２１１、ステープルスタッカ２１２、ステープラ２１４が設けられている。また、製本装置２００の給紙口２２０、穿孔部２１０、シフト部２１１、ステープルスタッカ２１２、ステープラ２１４の各間には、搬送路２１６が配置されている。製本装置２００の排紙側外部には、用紙を蓄積する昇降排紙トレイ２２１が設けられている。この昇降排紙トレイ２２１は、上下に移動するように設けられている。
【００４７】
搬送路２１６は、対向配置されるローラ対の並びで形成される。給紙口２２０から穿孔部２１０に至るラインには、給紙ローラ２１６ａが配され、用紙を挟持して搬送方向へ回転することにより、用紙を穿孔部２１０へ搬送する。穿孔部２１０の後段には、分岐機構２１６ｂが配置されている。
【００４８】
分岐機構２１６ｂは、シフト部２１１側若しくはステープルスタッカ２１２側へ用紙を分岐させる。ステープルスタッカ２１２側には、ステープルスタッカ２１２に至るまでのラインに、ローラ２１６ｃ、２１６ｄ、２１６ｅが配置されており、用紙をステープルスタッカ２１２へ搬送する。
【００４９】
シフト部２１１及びステープルスタッカ２１２の後段には、排紙ローラ２１６ｆが配され、排紙ローラ２１６ｆにより、昇降排紙トレイ２２１に排紙される。
【００５０】
穿孔部２１０は、ファイル用の孔（パンチ穴）を用紙に穿設する。シフト手段２１１は、連続して搬送されてくる用紙を、部ごとに排紙位置を変えて排紙させる処理ユニットである。ステープラ２１４は、ステープルスタッカ２１２に積載された用紙の束を針で綴じる処理を行う。
【００５１】
この製本装置２００は、中綴じ、重ね中折り、重ね三つ折り、くるみ綴じ等を行う機構が配されてもよい。
【００５２】
制御手段１０２は、上述の構成を有する画像形成装置１００及び製本装置２００を統合的に制御して、画像処理、ジョブ生成及び管理、ジョブ毎の画像形成の制御、及び製本制御を行う。画像処理では、主に画像読取装置１００ｂから出力される画像のアナログ信号をデジタル処理する。ジョブ生成では、表示手段たる操作パネル１０８で操作された操作内容、ネットワークを介して端末から出力された制御内容を反映したジョブデータを生成する。ジョブ管理では、実行するジョブの選択、及び実行中のジョブの経過監視を行う。画像形成の制御は、ジョブに従った画像形成の制御、画像形成の停止の制御、及び画像形成の再開の制御を行う。
【００５３】
図２は、制御手段１０２の構成を示す図である。制御手段１０２は、ＣＰＵ（Ｃｅｎｔｒａｌ  Ｐｒｏｃｅｓｓｉｎｇ  Ｕｎｉｔ）１０２ａとワークメモリ１０２ｃとシステムメモリ１０２ｄを含む統括制御回路と、処理回路、記憶回路、更には駆動系の各部を直接コントロールする制御器により構成される。統括制御回路と他の記憶回路や制御器は、バス１０２ｂにより信号入出力可能に接続されており、ＣＰＵ１０２ａが統括的に記憶回路や駆動機構を制御する。
【００５４】
システムメモリ１０２ｄは、不揮発性の記憶回路であり、ＣＰＵ１０２ａが解読及び実行する制御プログラムを記憶している。ワークメモリ１０２ｃは、読み書き自由なＲＡＭ（Ｒａｍｄｏｍ  Ａｃｃｅｓｓ  Ｍｅｍｏｒｙ）であり、ＣＰＵ１０２ａのワークエリアとして、プログラムやデータが展開される。
【００５５】
ＣＰＵ１０２ａは、画像の読み取り時、ＡＤＦ制御部１０２ｅに制御信号を出力して、自動原稿給紙装置１２１を駆動させ、スキャナ制御部１０２ｆに制御信号を出力して、原稿走査露光装置１２２を駆動させる。ＡＤＦ制御部１０２ｅは、制御信号に従って自動原稿給紙装置１２１を駆動させる制御器である。スキャナ制御部１０２ｆは、制御信号に従って原稿走査露光装置１２２を駆動させる制御器である。
【００５６】
ＣＣＤイメージセンサ１２２ｃにより読み取られたアナログ信号の画像データは、読取処理部１０２ｇに入力される。読取処理部１０２ｇは、画像の処理回路で構成され、アナログ信号の画像データをデジタルの画像データに変換する。読み取られたデジタルの画像データは、圧縮ＩＣ１０２ｈでデータ圧縮されてから、ＤＲＡＭ制御ＩＣ１０２ｉの書き込み制御によって画像メモリ１０２ｊに格納される。
【００５７】
また、ネットワークを介して端末から画像データが送信されてくる場合は、ＬＡＮインターフェース１０２ｋで受信し、ＤＲＡＭ制御ＩＣ１０２ｉの書き込み制御によって画像メモリ１０２ｊに格納される。
【００５８】
表示手段である操作パネル１０８から出力された各種操作内容を示す押下信号は、表示制御部１０２ｍを介してＣＰＵ１０２ａへ入力される。画像データの用紙への出力時には、操作パネル１０８から部数情報や後処理指示情報を示す押下信号が出力される。部数情報は、印刷部数を表す情報であり、後処理指示情報は、製本装置２００で行う後処理の内容を表す情報である。ＣＰＵ１０２ａは、表示制御部１０２ｍから入力された部数情報や後処理指示情報と、画像メモリ１０２ｊに格納された画像データとから、印刷ジョブを生成し、印刷ジョブを管理して、順番にジョブが実行されるように統括的な制御を行う。
【００５９】
ＣＰＵ１０２ａは、印刷ジョブに対応する画像データの保存先、印刷ジョブの実行順、実行中の印刷ジョブの途中結果、印刷ジョブが実行中か未実行か実行済みかを管理する。ＣＰＵ１０２ａは、印刷ジョブのリストであるジョブ管理情報１５０を作成し、ワークメモリ１０２ｃに記憶させる。ＣＰＵ１０２ａは、ジョブ管理情報１５０を参照しながらジョブの管理を行う。印刷ジョブを生成すると、その印刷ジョブをジョブ管理情報１５０のリストに追加する。
【００６０】
実行する印刷ジョブに対応する画像データは、ＤＲＡＭ制御ＩＣ１０２ｉの読み出し制御によって画像メモリ１０２ｊから読み出され、伸長ＩＣ１０２ｎで伸張されてから、書込処理部１０２ｐへ出力される。ＣＰＵ１０２ａは、ジョブ管理情報１５０を参照して、実行するジョブに対応する画像データの読み出しをＤＲＡＭ制御ＩＣ１０２ｉへ指示する。さらに、ＣＰＵ１０２ａは、この読み出し指示とともに、プリンタ制御部１０２ｑへ画像形成を開始させる開始信号を出力する。
【００６１】
書込処理部１０２ｐは、画像データが入力されると、画像データの色毎の画素値に従った強度の駆動信号を半導体レーザ１１０Ｙ、１１０Ｍ、１１０Ｃ、１１０Ｋに出力し、同時にレーザ光の走査を制御する。
【００６２】
プリンタ制御部１０２ｑは、書込処理部１０２ｐによる半導体レーザ１１０Ｙ、１１０Ｍ、１１０Ｃ、１１０Ｋの制御と同期して、用紙収容部１０３、搬送路１０５、画像出力部１０４、及び定着部１０６に駆動信号を送り、用紙上に画像を形成させる。
【００６３】
この画像形成では、プリンタ制御部１０２ｑから一枚の画像形成が終了する毎にＣＰＵ１０２ａへ終了確認信号が出力される。ＣＰＵ１０２ａは、この終了確認信号の入力応じてジョブ管理情報１５０の実行中のジョブの出力枚数と出力部数と後処理指示の有無を参照し、実行中の印刷ジョブをその途中結果を更新しつつ管理する。参照の結果、部の区切りまで画像形成がされ、かつ後処理指示があれば、後処理制御部１０２ｒに後処理を開始させる開始信号を出力する。
【００６４】
後処理制御部１０２ｒは、穿孔部２１０、シフト部２１１、ステープルスタッカ２１２、ステープラ２１４に駆動信号を送り、画像形成装置１００が出力した用紙の束に対して穿孔又はステープル綴じさせ、所定の排紙位置に載置する。
【００６５】
画像形成の経過は、操作パネル１０８やネットワーク上の端末から監視される。ＣＰＵ１０２ａは、表示制御部１０２ｍに対して操作パネル１０８に表示する表示データを出力し、操作パネル１０８に画像形成の途中結果を表示させる。例えば、ＣＰＵ１０２ａは、ジョブ管理情報１５０の内容を文字列に置き換えてレイアウトし、表示データとして表示制御部１０２ｍに出力する。また、ネットワーク上で画像形成の経過を監視する端末に対しては、ＬＡＮインターフェース１０２ｋに対してジョブ管理情報１５０に対応する監視データを出力する。
【００６６】
ここで、この画像形成中において、利用者が画像形成装置１００による画像形成を停止させて電源を落とすべく操作パネル１０８を用いた操作を行う場合がある。また、ネットワーク上の端末から画像形成装置１００の画像形成を停止させて電源を落とす信号が出力される場合がある。また、画像形成装置１００が内蔵するタイマによって自動的に画像形成を停止させて電源を落とす場合もある。ＣＰＵ１０２ａは、これらの電源を落とす状態に制御を遷移する前に、ジョブ管理情報１５０を参照して実行中のジョブの部の区切りまで画像形成を継続し、その後、ジョブ管理情報１５０と画像メモリ１０２ｊ内の画像データをコピーして不揮発メモリ１０２ｓにジョブ管理情報バックアップ１５１と画像データのバックアップを記憶させた上で、電源をＯＦＦにする制御を行う。不揮発メモリ１０２ｓは、不揮発性記憶媒体であり、電源が断たれてもその記憶データは消失しない。
【００６７】
再度電源が投入されると、不揮発メモリ１０２ｓを参照して、ジョブ管理情報バックアップ１５１が存在すれば、そのジョブ管理情報バックアップ１５１をワークメモリ１０２ｃに移してジョブ管理情報１５０とし、画像データのバックアップを画像メモリ１０２ｊに移して、ジョブ管理情報１５０に従った画像形成を再開する。
【００６８】
図３は、ＣＰＵ１０２ａが参照するジョブ管理情報１５０のデータ構造の一例を示す図である。ジョブ管理情報１５０は、ジョブ毎にジョブ番号１５０ａと、開始情報１５０ｂと、出力ページ情報１５０ｃと、出力部数情報１５０ｄと、後処理指示情報１５０ｅと、完了情報１５０ｆと、アドレス情報１５０ｇとを対応付けて格納する。
【００６９】
開始情報１５０ｂは、画像形成が開始されたか否かを示す。出力枚数情報１５０ｃは、画像形成すべきページ数のどこまでが終了したかを示す。この出力ページ数情報１５０ｃは、画像形成が予定されている総ページ数と画像形成が完了した完了ページ数とからなり、斜線右の値は総ページ数を示し、斜線左の値は完了ページ数を示す。出力部数情報１５０ｄは、画像形成すべき部数のどこまでが終了したかを示す。この出力部数情報１５０ｄは、画像形成が予定されている総部数と画像形成が完了した完了部数とからなり、斜線右の値は総部数を示し、斜線左の値は完了部数を示す。後処理指示情報１５０ｅは、製本装置２００で行われる後処理の内容を示す。完了情報１５０ｆは、画像形成が完了したか否かを示す。アドレス情報１５０ｇは、該ジョブで画像形成する画像データの保存先アドレスを示す。
【００７０】
画像データが読み取られた場合、或いはネットワークを介して画像データを受信した場合に、ＣＰＵ１０２ａは、新たにジョブ番号１５０ａを追加して、開始情報１５０ｂに未実行を示す「０」、完了情報１５０ｆに未完了を示す「０」を格納する。尚、未実行のジョブを予約ジョブとも称する。さらに、取得した画像データ群からページ数をカウントして、出力枚数情報１５０ｃにカウントした総ページ数に対応する値を格納し、完了ページ数に「０」を格納する。また、画像データ取得時に操作パネル１０８を用いて入力された操作や画像データに付帯する制御情報を参照し、指示された出力部数を出力部数情報１５０ｄに格納し、後処理の指示があると、指示された後処理の内容を後処理指示情報１５０ｅに格納する。そして、ＤＲＡＭ制御ＩＣ１０２ｉを制御して画像データを画像メモリ１０２ｊに記憶させると共に、画像データが記憶された先頭アドレスと末尾アドレスとをアドレス情報１５０ｇに格納する。
【００７１】
例えば、ジョブ番号１５０ａに「１」が格納されている印刷ジョブは、全ての画像形成が終了し、完了情報１５０ｆに完了を示す「１」が格納されている。ジョブ番号１５０ａに「２」が格納されている印刷ジョブは、画像形成が開始されたが全ての画像形成が完了していない実行中の印刷ジョブであり、開始情報１５０ｂに画像形成開始を示す「１」が格納されるとともに、完了情報１５０ｆに画像形成未完了を示す「０」が格納される。
【００７２】
ジョブ番号１５０ａに「２」が格納された実行中の印刷ジョブは、出力部数情報１５０ｄに出力ページ数の総数を示す「５０」が格納されている。一方、出力部数情報１５０ｄに現在出力済みのページ数を示す「４８」が格納され、画像形成が部の途中であることを示している。この実行中の印刷ジョブは、後処理指示情報１５０ｅにステープラ処理を行うことを示す「１」が格納されている。
【００７３】
図４は、この電源ＯＦＦを伴う画像形成停止の流れを示すフローチャートである。この処理は、ＣＰＵ１０２ａがシステムメモリ１０２ｄから制御プログラムを読み出して事項することにより実現される。
【００７４】
画像形成の停止要求が発生すると（Ｓ０１）、ＣＰＵ１０２ａは、まず、ジョブ管理情報１５０を参照する。画像形成の停止要求は、操作パネル１０８を用いた電源ＯＦＦの操作、ネットワークを介した電源ＯＦＦの制御信号、又は電源を落とす時刻に到達したことによる自動電源ＯＦＦイベント開始により発生する。
【００７５】
ＣＰＵ１０２ａは、ジョブ管理情報１５０から実行中の印刷ジョブ欄を読み出し、実行中の印刷ジョブに所定の後処理指示情報１５０ｅがあるか否かを判断する（Ｓ０２）。実行中の印刷ジョブ欄は、開始情報１５０ｂが開始を示す「１」であり、かつ完了情報１５０ｆが未完了を示す「０」である欄である。この印刷ジョブ欄の後処理指示情報１５０ｅに、所定の後処理をすることを示す値が格納されているかを判断する。
【００７６】
所定の後処理指示情報１５０ｅは、部単位での後処理が必須の後処理を示す情報である。後処理には、印刷物の束に対して施す処理と用紙一枚一枚に対して施す処理とに大別される。例えば、ステープル、中綴じ、重ね中折り、重ね三つ折り、くるみ綴じは、印刷物の束に対して施す処理である。一方、三つ折りは、用紙一枚一枚に対して施す処理である。即ち、ＣＰＵ１０２ａは、後処理指示情報１５０ｅに、「０」以外かつ用紙一枚に対して施す後処理を示す値以外の値が格納されているか判断する。
【００７７】
判断の結果、所定の後処理指示情報１５０ｅがなければ（Ｓ０２，Ｎｏ）、ＣＰＵ１０２ａは、速やかに画像形成を停止させる（Ｓ０３）。画像形成の停止の処理では、ＣＰＵ１０２ａは、画像データの読み出し及び書込処理部１０２ｐへ出力を行わせる制御信号をＤＲＡＭ制御ＩＣ１０２ｉに出力することを停止し、駆動系を駆動させる制御信号をプリンタ制御部１０２ｑに出力することを停止する。
【００７８】
判断の結果、所定の後処理指示情報があれば（Ｓ０２，Ｙｅｓ）、ＣＰＵ１０２ａは、ジョブ管理情報１５０から実行中の印刷ジョブ欄を読み出し、実行中の印刷ジョブは部の区切りまで画像形成が終了したか判断する（Ｓ０４）。部の区切りか否かは、出力ページ情報１５０ｃに格納されている総ページ数と完了ページ数が示す値が一致しているか否かによって判断される。総ページ数と完了ページ数が示す値が一致していれば、部の区切りまで画像形成されたことを示す。総ページ数と完了ページ数が示す値が一致していなければ、画像形成が部の途中であることを示す。
【００７９】
実行中の印刷ジョブの出力ページ情報１５０ｃが部の区切りを示すと（Ｓ０４，Ｙｅｓ）、ＣＰＵ１０２ａは、速やかに画像形成を停止させる（Ｓ０３）。画像形成を停止したときには、ＣＰＵ１０２ａは、画像形成の経過に従ってジョブ管理情報１５０を更新している。即ち、ジョブ管理情報１５０の実行中の印刷ジョブ欄に存在する出力部数情報１５０ｄを１カウントアップし、完了ページ数を０に初期化している。カウントアップ前の出力部数情報１５０ｄにおいて総部数と完了部数とが一致している場合には、実行中のジョブ欄の完了情報１５０ｆを完了を示す「１」に更新する。
【００８０】
実行中の印刷ジョブの出力ページ情報１５０ｃが部の区切りを示していなければ（Ｓ０４，Ｎｏ）、１ページ分画像形成を継続する（Ｓ０５）。実行中の印刷ジョブの出力ページ情報１５０ｃが部の区切りを示さない限り（Ｓ０４，Ｎｏ）、１ページ分の画像形成（Ｓ０５）は順次繰り返される。ＣＰＵ１０２ａは、画像形成が継続している間、１ページ分の画像形成が終了する毎に終了確認信号を受ける。そして、ＣＰＵ１０２ａは、終了確認信号の受信に対応して、実行中の印刷ジョブ欄に存在する出力ページ情報１５０ｃの完了ページ数を１ずつカウントアップする。
【００８１】
画像形成を停止させると（Ｓ０３）、ＣＰＵ１０２ａは、この画像形成停止までの途中結果及び予約ジョブがある場合は予約ジョブも反映したジョブ管理情報１５０を複製してジョブ管理情報バックアップ１５１を生成し（Ｓ０６）、対応する画像データとともに不揮発メモリ１０２ｓに記憶させる（Ｓ０７）。
【００８２】
不揮発メモリ１０２ｓにジョブ管理情報バックアップ１５１を記憶させると、画像形成装置１００の電源装置を制御して電源をＯＦＦにする（Ｓ０８）。
【００８３】
次に、図５は、本実施形態の部の区切りまで画像形成した後に画像形成を停止して電源をＯＦＦにした場合の画像形成再開の流れを示すフローチャートである。
【００８４】
画像形成装置１００の電源が再投入されると（Ｓ１１）、ＣＰＵ１０２ａは、表示制御部１０２ｍに再開方式の選択を促す選択画面の表示データを出力し、操作パネル１０８に再開方式の選択を促す選択画面を表示させる（Ｓ１２）。
【００８５】
図６は、再開方式の選択を促す選択画面を示す模式図である。電源再投入により操作パネル１０８に表示された選択画面には、実行中の印刷ジョブ及び未実行の予約ジョブが存在する旨の文字列と、実行中の印刷ジョブを再開するか否かを問う文字列と、実行中の印刷ジョブ及び未実行の予約ジョブを識別するファイル名が表示される。選択画面の下段には、再開する旨の入力に対応する再開ボタン１０８ａと、後で再開する旨の入力に対応する後再開ボタン１０８ｂと、実行中の印刷ジョブ及び未実行の印刷ジョブを消去する旨の入力に対応する消去ボタン１０８ｃが表示される。
【００８６】
再開ボタン１０８ａが描画された領域が押下されると、再開することを示す押下信号がＣＰＵ１０２ａに入力され、後再開ボタン１０８ｂが描画された領域が押下されると、後で再開することを示す押下信号がＣＰＵ１０２ａに入力され、消去ボタン１０８ｃが描画された領域が押下されると、再開することを示す押下信号がＣＰＵ１０２ａに入力される。
【００８７】
選択画面に応じて利用者が再開ボタン１０８ａを押下すると（Ｓ１３，Ｙｅｓ）、ＣＰＵ１０２ａは、不揮発メモリ１０２ｓからジョブ管理情報バックアップ１５１をジョブ管理情報１５０として、対応する画像データとともにワークメモリ１０２ｃに移す（Ｓ１４）。ワークメモリ１０２ｃにジョブ管理情報バックアップ１５１の内容と同一のジョブ管理情報１５０が記憶されると、ＣＰＵ１０２ａは、ジョブ管理情報１５０に従って画像形成を再開する（Ｓ１５）。
【００８８】
図７は、ジョブ保存態様及び再開態様を示す模式図である。電源ＯＦＦの前には、ジョブ番号１５０ａが「２」で示される実行中の印刷ジョブを部の区切りまで画像形成した後、画像形成を停止させ、この実行中の印刷ジョブとともに未実行の予約ジョブの内容を含むジョブ管理情報１５０をジョブ管理情報バックアップ１５１として不揮発メモリ１０２ｓに記憶している。即ち、ジョブ管理情報バックアップ１５１は、電源ＯＦＦ前に部の区切りまで画像形成した途中結果を残すジョブ管理情報１５０のバックアップである。従って、このジョブ管理情報バックアップ１５１をジョブ管理情報１５０としてワークメモリ１０２ｃに移すと、再開された画像形成は、次の部の頭、若しくは次の印刷ジョブの最初から再開される。
【００８９】
尚、選択画面に応じて利用者が再開ボタン１０８ａ以外の後再開ボタン１０８ｂや消去ボタン１０８ｃが押下されると（Ｓ１３，Ｎｏ）、ＣＰＵ１０２ａは、その押下信号に従った処理を実行する（Ｓ１６）。後再開ボタン１０８ｂの押下では、新たなジョブが入力されれば、不揮発メモリ１０２ｓにジョブ管理情報バックアップ１５１を残したまま、その新たなジョブを実行する。消去ボタン１０８ｃの押下では、不揮発メモリ１０２ｓに記憶されているジョブ管理情報バックアップ１５１を消去する。
【００９０】
本実施形態の画像形成装置１００によるジョブの停止及び再開の具体例を示す。図８は、装置停止に伴うジョブの実行態様を示す模式図である。
【００９１】
図３に示したジョブ管理情報１５０内のジョブ番号１５０ａに「２」が格納された印刷ジョブの実行中において、図８に示すように、全１２部中７部目の「４８」ページ目まで画像形成が完了したときに、例えば操作パネル１０８を用いて利用者が電源ＯＦＦの操作を行うことで、操作パネル１０８から画像形成の停止要求信号が出力されたものとする。
【００９２】
即座に画像形成を停止する従来の画像形成装置であれば、この４８ページ目まで画像形成が完了したときに即座に画像形成を停止するため、部の途中でも停止する。そのため、７部目の冊子は、電源ＯＦＦ前の１〜４８ページと電源再投入後の４９及び５０ページに分かれ、ステープラ処理できず、或いは１〜４８ページでステープラ処理されてしまい、冊子化できない。すなわち、７部目は無駄な出力物となる。利用者は、目的の総部数をそろえるために７部目の画像形成をやり直す必要がある。
【００９３】
一方、本実施形態の画像形成装置１００では、全１２部中７部目の「４８」ページ目まで画像形成が完了したときに、停止要求信号が出力されると、ジョブ管理情報１５０の現在実行中の印刷ジョブに対応するジョブ番号１５０ａが「２」のリストから後処理指示情報１５０ｅを参照する。参照の結果、後処理指示情報１５０ｅにステープラ処理を行うことを示す「１」が格納されている。この所定の後処理指示があるため、次にジョブ番号１５０ａが「２」のリストから出力ページ情報１５０ｃを参照する。参照の結果、７部目が総ページ数「５０」に対して完了ページ数「４８」であり、部の途中であることを示すため、画像形成を継続する。
【００９４】
終了確認信号が出力される毎に出力済みページ数をカウントアップしていき、７部目が総ページ数「５０」に対して完了ページ数「５０」となると、部の区切りまで画像形成したことを示すため、画像形成を停止する。７部目は、全てのページが画像形成されているため、製本装置２００でステープラ処理されて冊子として完成する。すなわち、７部目は画像形成をやり直す必要はない。
【００９５】
そして、ジョブ番号１５０ａが「２」のリスト内の出力ページ情報１５０ｃに出力済みのページ数「０」を格納し、出力部数情報１５０ｄの出力済みの部数を１カウントアップして「８」を格納する。この更新されたジョブ管理情報１５０をジョブ管理情報バックアップ１５１として不揮発メモリ１０２ｓに記憶させる。ジョブ管理情報バックアップ１５１の不揮発メモリ１０２ｓへの記憶が終了すると、電源をＯＦＦにする。
【００９６】
電源再投入後は、ジョブ番号１５０ａが「２」のリスト内には、出力ページ情報１５０ｃに完了ページ数「０」が格納され、出力部数情報１５０ｄの出力済みの部数に「８」が格納されているため、８部目の頭から画像形成が再開される。
【００９７】
このように、本実施形態の画像形成装置１００では、画像形成を停止させる場合、画像形成中の部の区切りまで画像形成させてから停止させてから、実行中であった印刷ジョブを含む画像形成未完了の予約ジョブを不揮発メモリ１０２ｓに記憶するようにし、この不揮発メモリ１０２ｓに記憶させた印刷ジョブに基づき画像形成を再開するようにした。
【００９８】
従って、画像形成を中断させて後に再開させる場合であっても無駄な出力物が生じることがなく、またそれにより無駄な出力物を別途やり直す手間もはぶけるため、生産性に優れる。特に、出力物をステープル処理、中綴じ処理、重ね折り処理、重ね三つ折り処理、くるみ綴じ等の印刷物を束で後処理を行い冊子化する場合に特に有効である。
【００９９】
（第２の実施形態）
次に、この画像形成装置１００の電源ＯＦＦを伴う画像形成停止の変形例を示す。この変形例では、所定の後処理の有無に関係なく部数の区切りまで画像形成を継続し、その後停止させることができる。図９は、電源ＯＦＦを伴う画像形成停止の第２の流れを示すフローチャートである。この処理は、ＣＰＵ１０２ａがシステムメモリ１０２ｄから制御プログラムを読み出して事項することにより実現される。
【０１００】
画像形成の停止要求が発生すると（Ｓ２１）、ＣＰＵ１０２ａは、表示制御部１０２ｍに停止方式の選択を促す選択画面の表示データを出力し、操作パネル１０８に停止方式の選択を促す選択画面を表示させる（Ｓ２２）。
【０１０１】
図１０は、停止方式の選択を促す選択画面を示す模式図である。図１０に示すように、操作パネル１０８に表示された選択画面には、実行中の印刷ジョブが存在する旨の文字列と、すぐに画像形成を停止するか否かを問う文字列と、実行中の印刷ジョブを識別するファイル名が表示される。選択画面の下段には、すぐに停止する旨の入力に対応する即停止ボタン１０８ｄと、部数区切りまで画像形成を継続する旨の入力に対応する部数区切り停止ボタン１０８ｅ、停止をキャンセルする旨の入力に対応する継続ボタン１０８ｆが表示される。
【０１０２】
部数区切り停止ボタン１０８ｅが描画された領域が押下されると、部の区切りまで画像形成を継続することを示す押下信号がＣＰＵ１０２ａに入力され、即停止ボタン１０８ｄが描画された領域が押下されると、部の途中でも画像形成を停止することを示す押下信号がＣＰＵ１０２ａに入力され、継続ボタン１０８ｆが描画された領域が押下されると、停止をキャンセルすることを示す押下信号がＣＰＵ１０２ａに入力される。
【０１０３】
選択画面に応じて利用者が部数区切り停止ボタン１０８ｅを押下すると（Ｓ２３，Ｙｅｓ）、ＣＰＵ１０２ａは、ジョブ管理情報１５０から実行中の印刷ジョブ欄を読み出し、実行中の印刷ジョブは部の区切りまで画像形成が終了したか判断する（Ｓ２４）。
【０１０４】
実行中の印刷ジョブの出力ページ情報１５０ｃが部の区切りを示すと（Ｓ２４，Ｙｅｓ）、ＣＰＵ１０２ａは、速やかに画像形成を停止させる（Ｓ２５）。画像形成を停止したときには、ＣＰＵ１０２ａは、画像形成の経過に従ってジョブ管理情報１５０を更新している。即ち、ジョブ管理情報１５０の実行中の印刷ジョブ欄に存在する出力部数情報１５０ｄを１カウントアップし、完了ページ数を０に初期化している。カウントアップ前の出力部数情報１５０ｄにおいて総部数と完了部数とが一致している場合には、実行中のジョブ欄の完了情報１５０ｆを完了を示す「１」に更新する。
【０１０５】
実行中の印刷ジョブの出力ページ情報１５０ｃが部の区切りを示していなければ（Ｓ２４，Ｎｏ）、１ページ分画像形成を継続する（Ｓ２６）。実行中の印刷ジョブの出力ページ情報１５０ｃが部の区切りを示さない限り（Ｓ２４，Ｎｏ）、１ページ分の画像形成（Ｓ２６）は順次繰り返される。ＣＰＵ１０２ａは、画像形成が継続している間、１ページ分の画像形成が終了する毎に終了確認信号を受ける。そして、ＣＰＵ１０２ａは、終了確認信号の受信に対応して、実行中の印刷ジョブ欄に存在する出力ページ情報１５０ｃの完了ページ数を１ずつカウントアップする。
【０１０６】
画像形成を停止させると（Ｓ２５）、ＣＰＵ１０２ａは、この画像形成停止までの途中結果及び予約ジョブを反映したジョブ管理情報１５０を複製してジョブ管理情報バックアップ１５１を生成し（Ｓ２７）、対応する画像データとともに不揮発メモリ１０２ｓに記憶させる（Ｓ２８）。
【０１０７】
不揮発メモリ１０２ｓにジョブ管理情報バックアップ１５１を記憶させると、画像形成装置１００の電源装置を制御して電源をＯＦＦにする（Ｓ２９）。
【０１０８】
尚、選択画面に応じて利用者が即切り停止ボタン１０８ｄが押下されると（Ｓ２３Ｎｏ，及びＳ３０Ｙｅｓ）、画像形成を即停止させ（Ｓ２５）、Ｓ２６〜Ｓ２９を実行する。また、選択画面に応じて利用者が継続ボタン１０８ｆが押下されると（Ｓ２３Ｎｏ，及びＳ３０Ｎｏ）、画像形成停止処理を終了する。
【０１０９】
このように、停止方式を利用者に選択させるようにすることによっても、部の区切りまで画像形成を行うことができ、無駄な出力物を出さないようにすることができる。この場合、所定の後処理は行わないが複数ページの出力物を複数部数画像形成する際に特に有効である。
【０１１０】
尚、停止方式の選択を促す選択画面を表示して逐次停止方式の選択を促してもよいが、選択された停止方式を予め不揮発メモリ１０２ｓに記憶しておき、以後、この不揮発メモリ１０２ｓに記憶された停止方式に従って画像形成を停止するようにしてもよい。
【図面の簡単な説明】
【０１１１】
【図１】本実施形態に係る画像形成システムの構成を示す図である。
【図２】装置停止に伴うジョブの第１の保存処理に対応する画像形成装置の制御系を示すブロック図である。
【図３】ジョブ管理情報のデータ構成の一例を示す図である。
【図４】装置停止に伴うジョブの第１の保存処理動作を示すフローチャートである。
【図５】ジョブ保存を伴う装置停止後のジョブ再開処理動作を示すフローチャートである。
【図６】ジョブ再開処理動作において表示される選択画面を示す図である。
【図７】第１の保存処理動作におけるジョブ保存態様及び再開態様を示す模式図である。
【図８】装置停止に伴うジョブの実行態様を示す模式図である。
【図９】装置停止に伴うジョブの第２の保存処理動作を示すフローチャートである。
【図１０】第１の保存処理動作において表示される選択画面を示す図である。
【符号の説明】
【０１１２】
１００  画像形成装置
１００ａ  装置本体
１００ｂ  画像読取装置
１０２  制御手段
１０２ａ  ＣＰＵ
１０２ｂ  バス
１０２ｃ  ワークメモリ
１０２ｄ  システムメモリ
１０２ｅ  ＡＤＦ制御部
１０２ｆ  スキャナ制御部
１０２ｇ  読取処理部
１０２ｈ  圧縮ＩＣ
１０２ｉ  ＤＲＡＭ制御ＩＣ
１０２ｊ  画像メモリ
１０２ｋ  ＬＡＮインターフェース
１０２ｍ  表示制御部
１０２ｎ  伸長ＩＣ
１０２ｐ  書込処理部
１０２ｑ  プリンタ制御部
１０２ｒ  後処理制御部
１０２ｓ  不揮発メモリ
１０３  用紙収容部
１０４  画像出力部
１０５  搬送路
１０５ａ  送り出しローラ
１０５ｂ  給紙ローラ
１０５ｃ，１０５ｄ，１０５ｅ  搬送ローラ
１０５ｆ  レジストローラ
１０５ｇ  分岐路
１０５ｈ  排紙ローラ
１０５ｉ  循環通紙路
１０５ｊ  反転搬送路
１０５ｋ  再給紙搬送路
１０６  定着部
１０８  操作パネル
１０８ａ  再開ボタン
１０８ｂ  後再開ボタン
１０８ｃ  消去ボタン
１０８ｄ  即停止ボタン
１０８ｅ  部数区切り停止ボタン
１０８ｆ  継続ボタン
１０９Ｙ、１０９Ｍ、１０９Ｃ、１０９Ｋ  画像形成ユニット
１Ｙ，１Ｍ，１Ｃ，１Ｋ  感光ドラム
２Ｙ，２Ｍ，２Ｃ，２Ｋ  帯電部
３Ｙ，３Ｍ，３Ｃ，３Ｋ  現像部
５Ｙ，５Ｍ，５Ｃ，５Ｋ  クリーニング部
６Ｙ，６Ｍ，６Ｃ，６Ｋ  １次転写ローラ
７  ２次転写ローラ
８  クリーニング部
１１０Ｙ、１１０Ｍ、１１０Ｃ、１１０Ｋ  半導体レーザ
１１１  中間転写ベルト
１２１  自動原稿給紙装置
１２１ａ  原稿台
１２１ｂ  搬送手段
１２２  原稿走査露光装置
１２２ａ  プラテンガラス
１２２ｂ  光学系
１２２ｃ  ＣＣＤイメージセンサ
１５０  ジョブ管理情報
１５０ａ  ジョブ番号
１５０ｂ  開始情報
１５０ｃ  出力ページ情報
１５０ｄ  出力部数情報
１５０ｅ  後処理指示情報
１５０ｆ  完了情報
１５０ｇ  アドレス情報
１５１  ジョブ管理情報バックアップ
２００  製本装置
２１０  穿孔部
２１１  シフト部
２１２  ステープルスタッカ
２１４  ステープラ
２１６  搬送路
２１６ａ  給紙ローラ
２１６ｂ  分岐機構
２１６ｃ，２１６ｄ，２１６ｅ  ローラ
２２０  給紙口
２２１  昇降排紙トレイ
【図１】
0005433924.tif 000002
【図２】
0005433924.tif 000003
【図３】
0005433924.tif 000004
【図４】
0005433924.tif 000005
【図５】
0005433924.tif 000006
【図６】
0005433924.tif 000007
【図７】
0005433924.tif 000008
【図８】
0005433924.tif 000009
【図９】
0005433924.tif 000010
【図１０】
0005433924.tif 000011